(57)【要約】【課題】強放電である維持放電後，弱放電であるリセット放電を発生させてリセット期間を行う場合に発生する誤放電および低放電を防止するプラズマディスプレイ装置およびその駆動方法を提供する。【解決手段】直前サブフィールドで維持放電したセルのみを初期化させるリセット期間直前に維持放電を強放電でない弱放電で発生させる。すると，電極の外側領域に存在する壁電荷の量を減らすことができ，後続のリセット期間でアドレッシングに適した壁電荷を容易に制御することができる。これにより，誤放電および低放電を防止することができる。【選択図】図３
2006337981.tif 000002
【特許請求の範囲】
【請求項１】
複数の第１電極および第２電極を含むプラズマディスプレイ装置を駆動する方法において：
第１サブフィールドの維持期間の第１期間で維持放電させる段階と；
前記第１サブフィールドの維持期間の第２期間で，前記第１電極と前記第２電極との間の電圧差である第１電圧を第２電圧から第３電圧まで漸進的に上昇させる段階と；
前記第１サブフィールドに続く第２サブフィールドのリセット期間で，前記第１電極の電圧から前記第２電極の電圧を差し引いた電圧を第４電圧から第５電圧まで漸進的に下降させて，前記第１サブフィールドの維持期間で放電したセルを初期化させる段階と；
を含むことを特徴とする，プラズマディスプレイ装置の駆動方法。
【請求項２】
前記第２期間は，第２サブフィールドのリセット期間直前に行われることを特徴とする，請求項１に記載のプラズマディスプレイ装置の駆動方法。
【請求項３】
前記プラズマディスプレイ装置は，前記第１電極および第２電極と交差して形成される複数の第３電極をさらに含み；
前記駆動方法は，前記第１期間と前記第２期間との間の第３期間で，前記第１電極と前記第２電極との間の電圧差より，前記第１電極または前記第２電極と前記第３電極との間の電圧差を小さくする段階をさらに含むことを特徴とする，請求項１または２に記載のプラズマディスプレイ装置の駆動方法。
【請求項４】
前記第１期間と前記第２期間との間の第３期間で，前記第１期間での前記維持放電を発生させるため，前記第１電極と前記第２電極との間に印加される電圧差である第６電圧より前記第１電圧を小さくする段階をさらに含むことを特徴とする，請求項１または２に記載のプラズマディスプレイ装置の駆動方法。
【請求項５】
前記第３期間で，前記第１電極と前記第２電極にそれぞれグラウンド電圧と前記第６電圧より低い第７電圧を印加して，前記第１電圧を前記第６電圧より小さくすることを特徴とする，請求項１，２，または４のいずれかに記載のプラズマディスプレイ装置の駆動方法。
【請求項６】
前記第３期間で，前記第１電極と前記第２電極にそれぞれグラウンド電圧より高い第７電圧と前記第６電圧を印加して，前記第１電圧を前記第６電圧より小さくすることを特徴とする，請求項１，２，または４のいずれかに記載のプラズマディスプレイ装置の駆動方法。
【請求項７】
前記第３期間で，前記第２電極に第７電圧を印加すると同時に前記第１電極をフローティングさせて，前記第１電圧を前記第６電圧より小さくすることを特徴とする，請求項１，２，または４のいずれかに記載のプラズマディスプレイ装置の駆動方法。
【請求項８】
前記第２期間で，前記第２電極に第６電圧を印加した状態で，前記第１電極の電圧を第６電圧より高い第７電圧まで漸進的に上昇させて，前記第１電圧を前記第２電圧から前記第３電圧まで漸進的に上昇させることを特徴とする，請求項１または２に記載のプラズマディスプレイ装置の駆動方法。
【請求項９】
前記第２サブフィールドのリセット期間で，前記第２電極に第８電圧を印加した状態で，前記第１電極の電圧を前記第７電圧より低い第９電圧まで漸進的に下降させて，前記初期化させる段階を行うことを特徴とする，請求項１，２，または８のいずれかに記載のプラズマディスプレイ装置の駆動方法。
【請求項１０】
前記第１期間と前記第２期間は連続する期間であることを特徴とする，請求項１または２に記載のプラズマディスプレイ装置の駆動方法。
【請求項１１】
複数の第１電極および第２電極を含むプラズマディスプレイ装置を駆動する方法において：
第１サブフィールドの維持期間の第１期間で維持放電させる段階と；
前記第１サブフィールドの維持期間の第２期間で，前記第１電極と前記第２電極との間の電圧差である第１電圧を，前記第１期間での前記維持放電を発生させるため，前記第１電極と前記第２電極との間に印加される電圧差である第２電圧より小さくする段階と；
前記第１サブフィールドに連続する第２サブフィールドのリセット期間で，前記第１電極の電圧から前記第２電極の電圧を差し引いた電圧である第３電圧を第４電圧から第５電圧まで漸進的に下降させて，前記第１サブフィールドの維持期間で維持放電したセルを初期化させる段階と；
を含むことを特徴とする，プラズマディスプレイ装置の駆動方法。
【請求項１２】
前記第２期間と前記第２サブフィールドのリセット期間はお互いに連続する期間であることを特徴とする，請求項１１に記載のプラズマディスプレイ装置の駆動方法。
【請求項１３】
前記第１期間と前記第２期間との間の第３期間で，前記第１電圧を漸進的に上昇させる段階をさらに含むことを特徴とする，請求項１１または１２に記載のプラズマディスプレイ装置の駆動方法。
【請求項１４】
前記第２期間で，前記第１電極と前記第２電極にそれぞれ前記第２電圧より低い第５電圧とグラウンド電圧を同時に印加して，前記第１電圧を前記第２電圧より小さくすることを特徴とする，請求項１１または１２に記載のプラズマディスプレイ装置の駆動方法。
【請求項１５】
前記第２期間で，前記第１電極と前記第２電極にそれぞれ前記第２電圧とグラウンド電圧より高い第５電圧を同時に印加して，前記第１電圧を前記第２電圧より小さくすることを特徴とする，請求項１１または１２に記載のプラズマディスプレイ装置の駆動方法。
【請求項１６】
前記第２期間で，前記第１電極に前記第２電圧を印加すると同時に前記第２電極をフローティングさせて，前記第１電圧を前記第２電圧より小さくすることを特徴とする，請求項１１または１２に記載のプラズマディスプレイ装置の駆動方法。
【請求項１７】
前記プラズマディスプレイ装置は，前記第１電極および第２電極と交差して形成される複数の第３電極をさらに含み；
前記駆動方法は，前記第１期間と前記第２期間との間の第３期間で，前記第１電圧より前記第１電極または前記第２電極と前記第３電極との間の電圧差を小さくする段階をさらに含むことを特徴とする，請求項１１または１２に記載のプラズマディスプレイ装置の駆動方法。
【請求項１８】
複数の第１電極および第２電極，および前記第１電極および第２電極と交差して形成される複数の第３電極を含むプラズマディスプレイ装置を駆動する方法において：
第１サブフィールドの維持期間の第１期間で維持放電させる段階と；
前記第１サブフィールドの維持期間の第２期間で，前記第１電極と前記第２電極との間の電圧差である第１電圧より，前記第１電極または前記第２電極と前記第３電極との間の電圧差である第２電圧を小さくする段階と；
前記第１サブフィールドに連続する第２サブフィールドのリセット期間で，前記第１電極の電圧から前記第２電極の電圧を差し引いた電圧である第３電圧を第４電圧から第５電圧まで漸進的に下降させて，前記第１サブフィールドの維持期間で維持放電したセルを初期化させる段階と；
を含むことを特徴とする，プラズマディスプレイ装置の駆動方法。
【請求項１９】
前記第２期間と前記第２サブフィールドのリセット期間は連続する期間であることを特徴とする，請求項１８に記載のプラズマディスプレイ装置の駆動方法。
【請求項２０】
前記第１電圧は，前記第１期間で前記維持放電を発生させるため，前記第１電極と前記第２電極との間に印加される電圧差であることを特徴とする，請求項１８または１９に記載のプラズマディスプレイ装置の駆動方法。
【請求項２１】
前記第１期間で前記第３電極に第６電圧を印加し，前記第２期間で前記第３電極に前記第６電圧より高い第７電圧を印加することを特徴とする，請求項１８または１９に記載のプラズマディスプレイ装置の駆動方法。
【請求項２２】
前記第１期間と前記第２期間との間の第３期間で，前記第１電圧を漸進的に上昇させる段階をさらに含むことを特徴とする，請求項１８または１９に記載のプラズマディスプレイ装置の駆動方法。
【請求項２３】
前記第１期間と前記第２期間との間の第３期間で，前記第１期間での前記維持放電を発生させるため，前記第１電極と前記第２電極との間に印加される電圧差より前記第１電圧を小さくする段階をさらに含むことを特徴とする，請求項１８または１９に記載のプラズマディスプレイ装置の駆動方法。
【請求項２４】
複数の放電セルを形成するプラズマディスプレイパネルと；
１フレームを，リセット期間，アドレス期間，および維持期間を含む複数のサブフィールドに分けて駆動する制御部と；
第１サブフィールドの維持期間の第１期間で前記放電セルに第１維持放電波形を印加して，第１大きさを有する少なくとも一つの第１維持放電を発生させ，前記第１サブフィールドの維持期間の第２期間で前記放電セルに第２維持放電波形を印加して，前記第１大きさより小さな第２大きさを有する少なくとも一つの第２維持放電を発生させ，前記第１サブフィールドに連続する第２サブフィールドのリセット期間で前記放電セルにリセット波形を印加して前記第１サブフィールドの維持期間で維持放電した放電セルに対してリセット放電を発生させる駆動部と；
を含むことを特徴とする，プラズマディスプレイ装置。
【請求項２５】
前記プラズマディスプレイパネルは複数の走査電極および維持電極を含み；
前記第２維持放電波形は前記走査電極と前記維持電極との間の電圧差を漸進的に上昇させる波形であることを特徴とする，請求項２４に記載のプラズマディスプレイ装置。
【請求項２６】
前記プラズマディスプレイパネルは複数の維持電極および走査電極を含み；
前記第２維持放電波形は前記走査電極と前記維持電極との間の電圧差である第１電圧を，前記第１期間での前記走査電極と前記維持電極との間の電圧差である第２電圧より低くする波形であることを特徴とする，請求項２４に記載のプラズマディスプレイ装置。
【請求項２７】
前記走査電極と前記維持電極にそれぞれ前記第２電圧より低い第３電圧とグラウンド電圧を同時に印加して，前記第１電圧を前記第２電圧より低くすることを特徴とする，請求項２４または２６に記載のプラズマディスプレイ装置。
【請求項２８】
前記走査電極と前記維持電極にそれぞれ前記第２電圧とグラウンド電圧より高い第３電圧を同時に印加して，前記第１電圧を前記第２電圧より低くすることを特徴とする，請求項２４または２６に記載のプラズマディスプレイ装置。
【請求項２９】
前記走査電極に第３電圧を印加すると同時に前記維持電極をフローティングさせて，前記第１電圧を前記第２電圧より小さくすることを特徴とする，請求項２４または２６に記載のプラズマディスプレイ装置。
【請求項３０】
前記プラズマディスプレイパネルは複数の走査電極および維持電極，および前記走査電極および維持電極と交差して形成されるアドレス電極を含み；
前記第２維持放電波形は，前記走査電極と前記維持電極との間の電圧差より前記走査電極または前記維持電極と前記アドレス電極との間の電圧差を小さくする波形であることを特徴とする，請求項２４に記載のプラズマディスプレイ装置。
【請求項３１】
前記第２期間と前記第２サブフィールドのリセット期間は連続する期間であることを特徴とする請求項２４に記載のプラズマディスプレイ装置。
【発明の詳細な説明】
【技術分野】
【０００１】
本発明はプラズマディスプレイ装置およびその駆動方法に関する。
【背景技術】
【０００２】
一般的に，このような交流型プラズマディスプレイ装置の駆動方法においては，一つのフィールド（フレーム）が複数のサブフィールドに分けられ，各サブフィールドは，時間的な動作変化で表現すれば，リセット期間，アドレス期間，および維持期間からなる。
【０００３】
リセット期間は，セルにアドレッシング動作が円滑に行えるようにするために，各セルの状態を初期化させる期間であり，アドレス期間は，パネルにおいて，ターンオンされるセルとターンオンされないセルを選択するため，ターンオンされるセル（アドレッシングされたセル）にアドレス電圧を印加して壁電荷を積む動作を行う期間である。維持期間は，維持放電パルスを印加して，アドレッシングされたセルに実際に画像を表示するための放電を行う期間である。
【０００４】
従来のプラズマディスプレイパネルを駆動する方法としては，特許文献１に開示された方法がある。この駆動方法は，１フィールドを８個のサブフィールドに分けた後，第１
サブフィールドおよび第２〜第８サブフィールドのリセット期間で印加される波形を異にする方法である。
【０００５】
すなわち，特許文献１の駆動方法は，第１サブフィールドのリセット期間では，走査電極に緩く上昇するランプ電圧を印加した後，緩く下降するランプ電圧を印加し，これによりすべての放電セルを初期化させる。
【０００６】
ついで第２サブフィールドのリセット期間では，走査電極に緩く下降するランプ電圧のみを印加して，第１サブフィールドのアドレス期間で放電したセルのみをリセット放電させて初期化する。
【０００７】
そして，続く残りのサブフィールドのリセット期間でも，第２サブフィールドのリセット期間と同一波形が印加される。一方，第８サブフィールドでは，維持期間後に消去期間が形成される。
【０００８】
上記のような従来の駆動波形において，第２〜第８サブフィールドのリセット期間では，直前のサブフィールドの維持放電後，走査電極に下降ランプ電圧のみが印加されて，アドレッシングに適した壁電荷が制御されない問題点が発生する。
【０００９】
すなわち，リセット期間直前に発生する放電は維持放電による放電であるので，強放電に相当し，このような強放電によって各電極の外側領域（電極間に放電セルを形成する部分から外側領域に相当する部分を言う。以下同一）に積もる壁電荷が多いため，下降ランプ電圧のみを有するリセット波形によって壁電荷が適切に制御できない。
【００１０】
図１ａ〜図１ｃは，前述した特許文献１の駆動波形において，維持期間で形成される壁電荷およびリセット期間で形成される壁電荷を示す図である。図１ａは維持電極に維持放電パルスが印加される場合の壁電荷状態を示し，図１ｂは最後の維持放電パルスが走査電極に印加される場合の壁電荷状態を示し，図１ｃは第２サブフィールドのリセット期間後の壁電荷状態を示す図である。
【００１１】
第１サブフィールドの維持期間で維持電極に印加される維持放電電圧（Ｖｓ）によって強放電が発生し，これによって図１ａのような壁電荷が形成される。また，最後の維持放電として，走査電極に相対的に高い電圧を印加して，維持放電である強放電が発生されるので，図１ｂのような壁電荷が形成される。
【００１２】
図１ｂに示すように，強放電によっては壁電荷が各電極の外領域にも多く形成されているので，第２サブフィールドのリセット期間で印加される下降ランプ電圧のみを有するリセット波形によっては，図１ｃに点線で示す部分のように外側領域の壁電荷が残存し，これにより壁電荷が適切に制御されない。
【００１３】
すなわち，下降ランプ電圧によるリセット放電は弱放電であって，各電極間の近い領域でほとんど発生するので，各電極の外側領域の壁電荷はほとんど制御されることができなくて，図１ｃに示すように残存することになる。
【００１４】
このように，リセット期間で壁電荷を適切に制御することができなければ，後にアドレッシングで誤放電および低放電が発生する。
【特許文献１】米国特許第６，２９４，８７５号明細書
【発明の開示】
【発明が解決しようとする課題】
【００１５】
そこで，本発明は上記問題に鑑みてなされたものであり，本発明の目的とするところは，強放電である維持放電後，弱放電であるリセット放電を発生させてリセット期間を行う場合に発生する誤放電および低放電を防止する可能な，新規かつ改良されたプラズマディスプレイ装置およびその駆動方法を提供することにある。
【課題を解決するための手段】
【００１６】
上記課題を解決するために，本発明のある観点によれば，第１サブフィールドの維持期間の第１期間で維持放電させる段階と；上記第１サブフィールドの維持期間の第２期間で，上記第１電極と上記第２電極との間の電圧差である第１電圧を第２電圧から第３電圧まで漸進的に上昇させる段階と；上記第１サブフィールドに続く第２サブフィールドのリセット期間で，上記第１電極の電圧から上記第２電極の電圧を差し引いた電圧を第４電圧から第５電圧まで漸進的に下降させて，上記第１サブフィールドの維持期間で放電したセルを初期化させる段階と；を含む複数の第１電極および第２電極，および上記第１電極および第２電極と交差して形成される複数の第３電極を含むプラズマディスプレイ装置を駆動する方法が提供される。
【００１７】
上記第２期間は，第２サブフィールドのリセット期間直前に行われることを特徴としてよい。
【００１８】
上記駆動方法は，上記第１期間と上記第２期間との間の第３期間で，上記第１電極と上記第２電極との間の電圧差より，上記第１電極または上記第２電極と上記第３電極との間の電圧差を小さくする段階をさらに含むことを特徴としてよい。
【００１９】
上記第１期間と前記第２期間との間の第３期間で，前記第１期間での前記維持放電を発生させるため，前記第１電極と前記第２電極との間に印加される電圧差である第６電圧より前記第１電圧を小さくする段階をさらに含むことを特徴としてよい。
【００２０】
前記第３期間で，前記第１電極と前記第２電極にそれぞれグラウンド電圧と前記第６電圧より低い第７電圧を印加して，前記第１電圧を前記第６電圧より小さくすることを特徴としてよい。
【００２１】
前記第３期間で，前記第１電極と前記第２電極にそれぞれグラウンド電圧より高い第７電圧と前記第６電圧を印加して，前記第１電圧を前記第６電圧より小さくすることを特徴としてよい。
【００２２】
前記第３期間で，前記第２電極に第７電圧を印加すると同時に前記第１電極をフローティングさせて，前記第１電圧を前記第６電圧より小さくすることを特徴としてよい。
【００２３】
前記第２期間で，前記第２電極に第６電圧を印加した状態で，前記第１電極の電圧を第６電圧より高い第７電圧まで漸進的に上昇させて，前記第１電圧を前記第２電圧から前記第３電圧まで漸進的に上昇させることを特徴としてよい。
【００２４】
前記第２サブフィールドのリセット期間で，前記第２電極に第８電圧を印加した状態で，前記第１電極の電圧を前記第７電圧より低い第９電圧まで漸進的に下降させて，前記初期化させる段階を行うことを特徴としてよい。
【００２５】
前記第１期間と前記第２期間は連続する期間であることを特徴としてよい。
【００２６】
また，上記課題を解決するために，本発明の別の観点によれば，第１サブフィールドの維持期間の第１期間で維持放電させる段階と；上記第１サブフィールドの維持期間の第２期間で，上記第１電極と上記第２電極との間の電圧差である第１電圧を，上記第１期間での上記維持放電を発生させるため，上記第１電極と上記第２電極との間に印加される電圧差である第２電圧より小さくする段階と；上記第１サブフィールドに連続する第２サブフィールドのリセット期間で，上記第１電極の電圧から上記第２電極の電圧を差し引いた電圧である第３電圧を第４電圧から第５電圧まで漸進的に下降させて，上記第１サブフィールドの維持期間で維持放電したセルを初期化させる段階と；を含む複数の第１電極および第２電極，および上記第１電極および第２電極と交差して形成される複数の第３電極を含むプラズマディスプレイ装置を駆動する方法が提供される。
【００２７】
前記第２期間と前記第２サブフィールドのリセット期間はお互いに連続する期間であることを特徴としてよい。
【００２８】
前記第１期間と前記第２期間との間の第３期間で，前記第１電圧を漸進的に上昇させる段階をさらに含むことを特徴としてよい。
【００２９】
前記第２期間で，前記第１電極と前記第２電極にそれぞれ前記第２電圧より低い第５電圧とグラウンド電圧を同時に印加して，前記第１電圧を前記第２電圧より小さくすることを特徴としてよい。
【００３０】
前記第２期間で，前記第１電極と前記第２電極にそれぞれ前記第２電圧とグラウンド電圧より高い第５電圧を同時に印加して，前記第１電圧を前記第２電圧より小さくすることを特徴としてよい。
【００３１】
前記第２期間で，前記第１電極に前記第２電圧を印加すると同時に前記第２電極をフローティングさせて，前記第１電圧を前記第２電圧より小さくすることを特徴としてよい。
【００３２】
前記駆動方法は，前記第１期間と前記第２期間との間の第３期間で，前記第１電圧より前記第１電極または前記第２電極と前記第３電極との間の電圧差を小さくする段階をさらに含むことを特徴としてよい。
【００３３】
また，上記課題を解決するために，本発明の別の観点によれば，第１サブフィールドの維持期間の第１期間で維持放電させる段階と；上記第１サブフィールドの維持期間の第２期間で，上記第１電極と上記第２電極との間の電圧差である第１電圧より，上記第１電極または上記第２電極と上記第３電極との間の電圧差である第２電圧を小さくする段階と；上記第１サブフィールドに連続する第２サブフィールドのリセット期間で，上記第１電極の電圧から上記第２電極の電圧を差し引いた電圧である第３電圧を第４電圧から第５電圧まで漸進的に下降させて，上記第１サブフィールドの維持期間で維持放電したセルを初期化させる段階と；を含む複数の第１電極および第２電極，および上記第１電極および第２電極と交差して形成される複数の第３電極を含むプラズマディスプレイ装置を駆動する方法が提供される。
【００３４】
前記第２期間と前記第２サブフィールドのリセット期間は連続する期間であることを特徴としてよい。
【００３５】
前記第１電圧は，前記第１期間で前記維持放電を発生させるため，前記第１電極と前記第２電極との間に印加される電圧差であることを特徴としてよい。
【００３６】
前記第１期間で前記第３電極に第６電圧を印加し，前記第２期間で前記第３電極に前記第６電圧より高い第７電圧を印加することを特徴としてよい。
【００３７】
前記第１期間と前記第２期間との間の第３期間で，前記第１電圧を漸進的に上昇させる段階をさらに含むことを特徴としてよい。
【００３８】
前記第１期間と前記第２期間との間の第３期間で，前記第１期間での前記維持放電を発生させるため，前記第１電極と前記第２電極との間に印加される電圧差より前記第１電圧を小さくする段階をさらに含むことを特徴としてよい。
【００３９】
また，上記課題を解決するために，本発明の別の観点によれば，プラズマディスプレイパネル，制御部，および駆動部を備えるプラズマディスプレイ装置が提供される。これにより，誤放電および低放電を防止することができる。
【００４０】
複数の放電セルを形成するプラズマディスプレイパネルと；１フレームを，リセット期間，アドレス期間，および維持期間を含む複数のサブフィールドに分けて駆動する制御部と；第１サブフィールドの維持期間の第１期間で上記放電セルに第１維持放電波形を印加して，第１大きさを有する少なくとも一つの第１維持放電を発生させ，上記第１サブフィールドの維持期間の第２期間で上記放電セルに第２維持放電波形を印加して，上記第１大きさより小さな第２大きさを有する少なくとも一つの第２維持放電を発生させ，上記第１サブフィールドに連続する第２サブフィールドのリセット期間で上記放電セルにリセット波形を印加して上記第１サブフィールドの維持期間で維持放電した放電セルに対してリセット放電を発生させる駆動部と；を含むことを特徴としてよい。
【００４１】
上記プラズマディスプレイパネルは複数の走査電極および維持電極を含み，上記第２維持放電波形は上記走査電極と上記維持電極との間の電圧差を漸進的に上昇させる波形であることを特徴としてよい。
【００４２】
上記プラズマディスプレイパネルは複数の維持電極および走査電極を含み，上記第２維持放電波形は前記走査電極と前記維持電極との間の電圧差である第１電圧を，上記第１期間での前記走査電極と前記維持電極との間の電圧差である第２電圧より低くする波形であることを特徴としてよい。
【００４３】
上記走査電極と上記維持電極にそれぞれ上記第２電圧より低い第３電圧とグラウンド電圧を同時に印加して，上記第１電圧を上記第２電圧より低くすることを特徴としてよい。
【００４４】
上記走査電極と上記維持電極にそれぞれ上記第２電圧とグラウンド電圧より高い第３電圧を同時に印加して，上記第１電圧を上記第２電圧より低くすることを特徴としてよい。
【００４５】
上記走査電極に第３電圧を印加すると同時に上記維持電極をフローティングさせて，上記第１電圧を前記第２電圧より小さくすることを特徴としてよい。
【００４６】
上記プラズマディスプレイパネルは複数の走査電極および維持電極，および前記走査電極および維持電極と交差して形成されるアドレス電極を含み，上記第２維持放電波形は，上記走査電極と上記維持電極との間の電圧差より上記走査電極または上記維持電極と上記アドレス電極との間の電圧差を小さくする波形であることを特徴としてよい。
【００４７】
上記第２期間と上記第２サブフィールドのリセット期間は連続する期間であることを特徴としてよい。
【発明の効果】
【００４８】
以上説明したように，本発明によれば，維持期間で弱放電を発生させて電極の外側領域に形成される壁電荷の量を減らすことにより，後続のリセット期間での壁電荷をアドレッシングに適した状態に制御することができる。これにより，誤放電および低放電を防止することができる。
【発明を実施するための最良の形態】
【００４９】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００５０】
本明細書で言及する壁電荷とは，セルの壁（例えば，誘電体層）上で各電極に近く形成される電荷を言う。そして，壁電荷は実際に電極自体に接触しないが，ここでは電極に“形成される”，“蓄積される”または“積もる”のように説明する。また，壁電圧は壁電荷によってセルの壁に形成される電位差を言う。
【００５１】
図２は本発明の実施形態によるプラズマディスプレイ装置を示す説明図である。
図２に示すように，本発明の実施形態によるプラズマディスプレイ装置は，プラズマディスプレイパネル１００，制御部２００，アドレス電極駆動部３００，走査電極駆動部４００，および維持電極駆動部５００を含む。
【００５２】
プラズマディスプレイパネル１００は，列方向に伸びている複数のアドレス電極Ａ１〜Ａｍ，そして行方向にお互いに対をなして伸びている複数の維持電極Ｘ１〜Ｘｎ，および走査電極Ｙ１〜Ｙｎを含む。維持電極Ｘ１〜Ｘｎは各走査電極Ｙ１〜Ｙｎに対応して形成され，一般的にそれぞれの一端がお互いに共通に連結されている。
【００５３】
そして，プラズマディスプレイパネル１００は，維持電極Ｘ１〜Ｘｎおよび走査電極Ｙ１〜Ｙｎが配列された基板（図示せず）と，アドレス電極Ａ１〜Ａｍが配列された基板（図示せず）とからなる。二つの基板は走査電極Ｙ１〜Ｙｎとアドレス電極Ａ１〜Ａｍ，そして維持電極Ｘ１〜Ｘｎとアドレス電極Ａ１〜Ａｍがそれぞれ直交するように放電空間を置いて対向して配置される。
【００５４】
この際，アドレス電極Ａ１〜Ａｍと維持電極Ｘ１〜Ｘｎ，および走査電極Ｙ１〜Ｙｎの交差部の放電空間が放電セルを形成する。このようなプラズマディスプレイパネル１００の構造は一例であるばかり，後述する駆動波形が適用できる他の構造のパネルも本発明に適用できる。
【００５５】
制御部２００は，外部から映像信号を受信し，アドレス駆動制御信号，維持電極駆動制御信号，および走査電極駆動制御信号を出力する。そして，制御部２００は，１フレームを複数のサブフィールドに分割して駆動し，各サブフィールドは，時間的な動作変化で表現すれば，リセット期間，アドレス期間，および維持期間からなる。
【００５６】
アドレス駆動部３００は，制御部２００からアドレス駆動制御信号を受信し，表示しようとする放電セルを選択するための表示データ信号を各アドレス電極に印加する。
【００５７】
走査電極駆動部４００は，制御部２００から走査電極駆動制御信号を受信し，走査電極に駆動電圧を印加する。
【００５８】
維持電極駆動部５００は，制御部２００から維持電極駆動制御信号を受信し，維持電極に駆動電圧を印加する。
【００５９】
以下では，図３〜図９を参照して，アドレス電極Ａ１〜Ａｍ，維持電極Ｘ１〜Ｘｎ，および走査電極Ｙ１〜Ｙｎに印加される，本発明の実施形態によるプラズマディスプレイ装置の駆動方法について説明する。
【００６０】
また，以下の説明において，アドレス電極Ａ，走査電極Ｙ，および維持電極Ｘのように図面符号を表示するものは，すべてのアドレス電極，走査電極および維持電極に同一電圧が印加されることを示し，アドレス電極Ａｉおよび走査電極Ｙｊのように表示するものは，アドレス電極および走査電極のなかで一部のみに当該電圧を印加することを示す。
【００６１】
そして，以下で説明する維持期間は，アドレス期間で選択されたセルに実際に画像を表示するための放電を行う期間を示す。
【００６２】
(第１の実施形態)
まず、本発明の第１の実施形態にかかるプラズマディスプレイ装置およびその駆動方法について説明する。図３は本発明の第１実施形態によるプラズマディスプレイ装置の駆動波形を示す説明図であり，図４ａ〜図４ｃは，図３のような波形が印加される場合，各電極に形成される壁電荷を示す説明図である。
【００６３】
ここで，図３では，便宜上任意のサブフィールドである第１サブフィールドの維持期間で印加される駆動波形と，第１サブフィールドに連続して印加される第２サブフィールドのリセット期間およびアドレス期間で印加される駆動波形を示し，残りの部分は省略した。
【００６４】
第１サブフィールドの維持期間では，維持放電パルス電圧ＶS１を走査電極Ｙと維持電極Ｘに交互に印加して，第１サブフィールドのアドレス期間（図示せず）で選択されたセルを維持放電させる。
【００６５】
ここで，維持放電パルス電圧ＶＳ１が維持電極Ｘに印加される場合，図４ａに示すような放電セルに壁電荷が形成される。すなわち，維持電極Ｘに維持放電パルス電圧ＶS１を印加して走査電極Ｙに基準電圧（以下，０Ｖであると仮定する）を印加した場合，強放電が発生して維持電極Ｘに陰（−）の壁電荷が広く形成され，走査電極Ｙおよびアドレス電極Ａに陽（＋）の壁電荷が広く形成される。
【００６６】
ついで，最後の維持放電を発生させるための期間Ｓ１で，維持電極Ｘに基準電圧を印加した状態で，走査電極Ｙの電圧をＶｓｐ電圧からＶｓｒ電圧まで漸進的に上昇させる。
【００６７】
すると，走査電極Ｙから維持電極Ｘに弱放電が発生して，図４ｂに示すように，各電極の間の外側領域に形成された壁電荷量は少ないことが分かる。
【００６８】
一般的に，放電の強度が弱い弱放電は，放電が電極全領域に拡散しないので，電極の外側領域には壁電荷が不十分に形成される。よって，図３のように維持放電させるために，走査電極Ｙに，漸進的に上昇する電圧を印加する場合，弱放電が発生して壁電荷が外側領域に不十分に形成される。
【００６９】
ここで，Ｖｓｐ電圧は，直前の維持放電で発生された壁電荷と電圧Ｖｓｐの印加によって強放電が発生しないようにする電圧に適切に設定され，Ｖｓｒ電圧は，第１サブフィールドのアドレス期間（図示せず）で選択された放電セルのみを維持放電させるための電圧に適切に設定される。一方，Ｖｓｒ電圧はＶｓｒ電圧を発生させる電圧源の数を減らすため，Ｖｓ１電圧と同一電圧に設定することができる。
【００７０】
続く第２サブフィールドのリセット期間では，維持電極ＸにＶｅ電圧を印加した状態で，走査電極Ｙの電圧をＶｓｆ電圧からＶｎ電圧まで漸進的に下降させる。すると，第１サブフィールドで選択されて維持放電された放電セルで微弱なリセット放電が発生され，選択されない放電セルでは放電が起こらない。
【００７１】
第１サブフィールドで維持放電したセルの壁電荷状態は，図４ｂに示すように，電極の外側領域に壁電荷がほとんど形成されないので，第２サブフィールドのリセット期間の波形のように，漸進的に下降する電圧のみを印加しても図４ｃに示すように壁電荷の制御が可能になり，アドレッシングに適した壁電荷が形成される。
【００７２】
第２サブフィールドのリセット期間の波形のように，漸進的に下降する電圧のみを印加する場合には，弱放電が発生して，電極の内側領域で主に放電が発生しても，第１サブフィールドの最後の維持放電が強放電でない弱放電であるので，図４ｂに示すように，電極の外側領域に壁電荷がほとんど形成されない。
【００７３】
これにより，リセット期間でも，図１ｃとは異なり，本発明の第１実施形態の場合は，図４ｃに示すように，電極の外側領域に壁電荷がほとんど存在しなく，アドレッシングに適切な壁電荷が形成される。
【００７４】
したがって，本発明の第１実施形態は，アドレス期間での誤放電および低放電を防止することができる。一方，Ｖｓｐ電圧は電源数を減少させるために，Ｖｓｐ電圧と同一電圧に設定できる。
【００７５】
第２サブフィールドのアドレス期間では，放電セルを選択するため，走査電極Ｙｊに順次Ｖｓｃｌ電圧を有する走査パルスを印加，Ｖｓｃｌ電圧が印加されない走査電極をＶｓｃｈ電圧にバイアスする。
【００７６】
この際，Ｖｓｃｌ電圧を走査電圧といい，Ｖｓｃｈ電圧を非走査電圧とも言う。そして，Ｖｓｃｌ電圧が印加された走査電極によって形成される複数の放電セルのなかで選択しようとする放電セルを通過するアドレス電極ＡｉにＶａ電圧を有するアドレスパルスを印加し，選択しないアドレス電極は基準電圧０Ｖにバイアスする。
【００７７】
すると，Ｖａ電圧が印加されたアドレス電極とＶｓｃｌ電圧が印加された走査電極によって形成される放電セルでアドレス放電が起こらなくて，走査電極には（＋）の壁電荷が形成され，維持電極には（−）壁電荷が形成される。
【００７８】
本発明の第１実施形態のように，直前サブフィールドの維持期間で発生する最後の維持放電を強放電でない弱放電で発生させる場合，電極の外側領域に壁電荷が不十分に形成されるので，後続のサブフィールドのリセット期間でのリセット波形として，漸進的に下降する電圧のみを印加しても，リセット放電によってアドレッシングに適した壁電荷が形成される。
【００７９】
一方，電極の外側領域に壁電荷を少なく形成させるために，最後の維持放電を強放電ではない弱放電で発生させるほかの方法があるが，以下ではこれについて説明する。
【００８０】
(第２の実施形態)
本発明の第２の実施形態にかかるプラズマディスプレイ装置およびその駆動方法について説明する。図５は本発明の第２実施形態によるプラズマディスプレイ装置の駆動波形を示す説明図である。
【００８１】
図５に示すように，本発明の第２実施形態による駆動波形は，第１サブフィールドの維持期間で走査電極Ｙに最後の維持放電パルス電圧Ｖｓ１を印加すると同時にアドレス電極ＡにＶｂａ電圧を印加することを除いて，本発明の第１実施形態の駆動波形と同一である。
【００８２】
すなわち，最後の維持放電が発生される期間S１で，維持電極Ｘに基準電圧０Ｖを印加した状態で，最後の維持放電パルス電圧Ｖｓ１を走査電極Ｙに印加し，これと同時に，アドレス電極Ａに基準電圧より高いＶｂａ電圧を印加する。
【００８３】
すると，走査電極Ｙとアドレス電極Ａとの電圧差が減少して，弱放電である維持放電が発生し，これにより，第１実施形態と同様に，各電極Ｙ，Ｘ，Ａの外側領域に形成される壁電荷が不十分に形成される。
【００８４】
そして，電極の外側領域に壁電荷が不十分に形成された状態で，後続の第２サブフィールドのリセット期間で，第１実施形態と同様に，漸進的に下降する電圧のみを走査電極Ｙに印加する場合，アドレッシングに適した壁電荷形成状態に制御することが可能である。したがって，アドレス期間での誤放電および低放電を防止することができる。一方，Ｖｂａ電圧は，電源数を減少させるため，アドレス期間で印加されるアドレス電圧Ｖａと同一に設定できる。
【００８５】
(第３の実施形態)
本発明の第３の実施形態にかかるプラズマディスプレイ装置およびその駆動方法について説明する。図６は本発明の第３実施形態によるプラズマディスプレイ装置の駆動波形を示す説明図である。
【００８６】
図６に示すように，本発明の第３実施形態による駆動波形は，第１サブフィールドの維持期間で走査電極Ｙに最後の維持放電パルス電圧としてＶｓ１電圧より低いＶｓ２電圧を印加することを除いて，本発明の第１実施形態の駆動波形と同一である。
【００８７】
すなわち，最後の維持放電を強放電ではない弱放電で発生させるため，期間Ｓ１で維持電極Ｘに基準電圧０Ｖを印加した状態で，走査電極ＹにＶｓ１電圧より低いＶｓ２電圧を印加する。この際，アドレス電極Ａは基準電圧０Ｖを維持する。
【００８８】
すると，走査電極Ｙと維持電極Ｘとの電圧差が直前の維持放電時の電圧差より小さくて弱放電が発生し，これにより，第１実施形態と同様に，各電極の外側領域に形成される壁電荷が不十分に形成される。
【００８９】
そして，電極の外側領域に壁電荷が不十分に形成された状態で，後続の第２サブフィールドのリセット期間で，第１実施形態と同様に，漸進的に下降する電圧のみを走査電極Ｙに印加する場合，アドレッシングに適した壁電荷形成状態に制御することが可能である。
【００９０】
したがって，アドレス期間での誤放電および低放電を防止することができる。ここで，Ｖｓ２電圧は，走査電極Ｙと維持電極Ｘとの間の放電が弱放電で発生するように適切に設定しなければならない。
【００９１】
(第４の実施形態)
本発明の第４の実施形態にかかるプラズマディスプレイ装置およびその駆動方法について説明する。図７は本発明の第４実施形態によるプラズマディスプレイ装置の駆動波形を示す説明図である。
【００９２】
図７に示すように，本発明の第４実施形態による駆動波形は，第１サブフィールドの維持期間で最後の維持放電を弱放電で発生させるため，走査電極Ｙに最後の維持放電パルス電圧Ｖｓ１を印加すると同時に維持電極Ｘに基準電圧０Ｖより高いＶｓ３電圧を印加することを除いて，本発明の第１実施形態の駆動波形と同一である。
【００９３】
すなわち，最後の維持放電を強放電ではない弱放電で発生させるため，期間Ｓ１で維持電極Ｘに基準電圧０Ｖより高いＶｓ３電圧を印加した状態で，走査電極Ｙに維持放電パルス電圧Ｖｓ１を印加する。この際，アドレス電極Ａは基準電圧０Ｖを維持する。
【００９４】
すると，走査電極Ｙと維持電極Ｘとの間の電圧差が直前の維持放電時の電圧差より小さい弱放電が発生し，これにより第１実施形態と同様に，各電極の外側領域に形成される壁電荷が不十分に形成される。
【００９５】
そして，電極の外側領域に壁電荷が不十分に形成された状態で，後続の第２サブフィールドのリセット期間で，第１実施形態と同様に，漸進的に下降する電圧のみを走査電極Ｙに印加する場合，アドレッシングに適した壁電荷制御が可能である。
【００９６】
したがって，アドレス期間での誤放電および低放電を防止することができる。ここで，Ｖｓ３電圧は，走査電極Ｙと維持電極Ｘとの間の放電が弱放電で発生するように適切に設定しなければならない。
【００９７】
(第５の実施形態)
本発明の第５の実施形態にかかるプラズマディスプレイ装置およびその駆動方法について説明する。図８は本発明の第５実施形態によるプラズマディスプレイ装置の駆動波形を示す説明図である。
【００９８】
図８に示すように，本発明の第５実施形態による駆動波形は，第１サブフィールドの維持期間で最後の維持放電を弱放電で発生させるため，走査電極Ｙに最後の維持放電パルス電圧Ｖｓ１を印加すると同時に維持電極Ｘをフローティングさせることを除いて，本発明の第１実施形態の駆動波形と同一である。
【００９９】
すなわち，最後の維持放電を強放電ではない弱放電で発生させるため，走査電極Ｙに維持放電パルス電圧Ｖｓ１を印加すると同時に維持電極Ｘをフローティングさせる。この際，アドレス電極Ａは基準電圧０Ｖを維持する。
【０１００】
維持電極Ｘをフローティングさせる場合，維持電極Ｘの電圧は，走査電極Ｙに印加される電圧であるＶｓ１電圧に伴って上昇して走査電極Ｙと維持電極Ｘとの間の電圧差が減少し，これにより，走査電極Ｙと維持電極Ｘとの間の弱放電が発生する。
【０１０１】
このような弱放電により，各電極の外側領域に形成される壁電荷量を減らすことができ，後続の第２サブフィールドのリセット期間で，第１実施形態と同様に，漸進的に下降する電圧のみを走査電極Ｙに印加する場合，アドレッシングに適した壁電荷制御が可能である。電極の外側領域に存在する壁電荷がほとんど存在しなくてリセット期間でアドレッシングに適した壁電荷が形成されるので，アドレス期間での誤放電および低放電を防止することができる。
【０１０２】
ここで，図３と図５〜図８においては，最後の維持放電を弱放電で発生させて，電極の外側領域に形成される壁電荷量を減らす方法について説明した。
【０１０３】
しかし，最後の維持放電でない以前の維持放電を図３と図５〜図８に示すような波形を印加して弱放電で発生させ，その後に従来の維持放電パルスを印加しても続いて弱放電が発生するので，同一效果を奏することができる。
【０１０４】
一方，上記では，最後の維持放電を強放電でない弱放電で発生させて，電極の外側領域に形成される壁電荷量を減らすことにより，後続のリセット期間での壁電荷制御を容易にする方法について説明したが，最後の維持放電および最後の維持放電直前の維持放電を弱化させる場合，電極の外側領域に形成される壁電荷量をさらに減らすことができるので，同一效果を得ることができる。
【０１０５】
以下では，これに対する具体的な方法について説明する。
(第６の実施形態)
本発明の第６の実施形態にかかるプラズマディスプレイ装置およびその駆動方法について説明する。図９は本発明の第６実施形態によるプラズマディスプレイ装置の駆動波形を示す説明図である。
【０１０６】
図９に示すように，本発明の第６実施形態による駆動波形は，第１サブフィールドの維持期間で，最後の維持放電直前の維持放電が発生する期間Ｓ２で維持電極Ｘに維持放電パルス電圧Ｖｓ１を印加すると同時にアドレス電極ＡにＶｂａ電圧を印加することを除いて，第１実施形態の駆動波形と同一である。
【０１０７】
すなわち，期間Ｓ２で走査電極Ｙに基準電圧０Ｖを印加した状態で，維持電極Ｘに維持放電パルス電圧Ｖｓ１を印加し，これと同時に，アドレス電極ＡにＶｂａ電圧を印加する。
【０１０８】
すると，維持電極Ｘとアドレス電極Ａとの電圧差が直前の維持放電時より減少して弱放電が発生し，これにより，電極の外側領域に形成される壁電荷を強放電の維持放電より減らすことができる。
【０１０９】
そして，最後の維持放電が発生する期間Ｓ１では，第１実施形態と同様に，維持電極Ｘに基準電圧０Ｖを印加した状態で，走査電極ＹにＶｓｐ電圧からＶｓｒ電圧まで漸進的に上昇する電圧を印加する。すると，走査電極Ｙから維持電極Ｘにもう一度弱放電が発生して，各電極Ｘ，Ｙ，Ａの外側領域に形成される壁電荷の量をさらに減らすことができる。これにより，後続の第２サブフィールドのリセット期間でリセット放電により壁電荷の制御がより容易になり，アドレッシングに適した壁電荷状態を設定することができる。
【０１１０】
一方，最後の維持放電直前の維持放電（すなわち，維持電極Ｘに，走査電極Ｙに比べて高い電圧を印加して放電させることを言う）が発生する期間Ｓ２で，強放電でない弱放電を発生させる方法は，図９に示した方法のほかに，図３，図６，図７および図８のＳ１期間で印加した波形と同一の場合にも適用できる。
【０１１１】
ただし，この場合では，図３，図６，図７および図８のＳ１期間で印加された維持電極Ｘと走査電極Ｙに，波形が互いに反対に期間Ｓ２で印加される。
【０１１２】
すなわち，走査電極Ｙに，維持電極Ｘより相対的に高い電圧を印加するのでなく，維持電極Ｘに，走査電極Ｙより相対的に高い電圧を印加して，最後の維持放電直前の放電を弱放電で発生させることができる。
【０１１３】
また，最後の維持放電直前の維持放電を強放電でない弱放電で発生させるため，図５〜図８に示したＳ１期間で印加されるどの一つの電圧波形をＳ１期間で印加し，図３のＳ１期間で印加された波形をＳ２期間で印加することができる。
【０１１４】
ただし，この場合は，図３のＳ１期間で維持電極Ｘと走査電極Ｙに印加された波形がお互いに反対にＳ２期間で印加される。そして，図５〜図８に示すＳ１期間で印加される電圧波形をお互いに組み合わせて，最後の維持放電および最後の維持放電直前の維持放電を弱放電で発生させることができる。
【０１１５】
そして，維持放電を，図９に示すように，２回連続して弱放電で発生させて，リセット放電直前に各電極の外側領域に存在する壁電荷量を減らす方法だけでなく３回連続弱放電を発生させて各電極の外側領域に存在する壁電荷量を減らすことができる。
【０１１６】
すなわち，最後の維持放電から２番目の維持放電が発生する期間Ｓ３で，図９に示す強放電を発生させる維持放電パルス波形を印加するのでなくて，図３，図５，図６，図７，図８にそれぞれ示したＳ１期間で波形を印加して弱放電を発生させることができる。
【０１１７】
そして，３回連続して弱放電を発生させる場合にも，図３，図５，図６，図７，図８にそれぞれ示したＳ１期間で印加される波形をお互いに組み合わせて発生させることができる。
【０１１８】
一方，図３，図５〜図９においては，漸進的に上昇するか下降する電圧波形をランプ波形で示したが，そのほかにも，ＲＣ共振波形，ログ波形，階段波形などが適用可能なことは当然である。
【０１１９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１２０】
本発明は，強放電である維持放電後，弱放電であるリセット放電を発生させてリセット期間を行う場合に発生する誤放電および低放電を防止するプラズマディスプレイ装置に適用可能である。
【図面の簡単な説明】
【０１２１】
【図１ａ】従来の駆動波形において，壁電荷の形成状態を示す説明図である。
【図１ｂ】従来の駆動波形において，壁電荷の形成状態を示す説明図である。
【図１ｃ】従来の駆動波形において，壁電荷の形成状態を示す説明図である。
【図２】本発明の実施形態によるプラズマディスプレイ装置の説明図である。
【図３】本発明の第１実施形態によるプラズマディスプレイ装置の駆動波形図である。
【図４ａ】図３の波形において，壁電荷の形成状態を示す説明図である。
【図４ｂ】図３の波形において，壁電荷の形成状態を示す説明図である。
【図４ｃ】図３の波形において，壁電荷の形成状態を示す説明図である。
【図５】本発明の第２実施形態によるプラズマディスプレイ装置の駆動波形図である。
【図６】本発明の第３実施形態によるプラズマディスプレイ装置の駆動波形図である。
【図７】本発明の第４実施形態によるプラズマディスプレイ装置の駆動波形図である。
【図８】本発明の第５実施形態によるプラズマディスプレイ装置の駆動波形図である。
【図９】本発明の第６実施形態によるプラズマディスプレイ装置の駆動波形図である。
【符号の説明】
【０１２２】
１００  プラズマディスプレイパネル
２００  制御部
３００  アドレス電極駆動部
４００  走査電極駆動部
５００  維持電極駆動部
Ａ１〜Ａｍ  アドレス電極
Ｘ１〜Ｘｎ  維持電極
Ｙ１〜Ｙｎ  走査電極
【図１ａ】
2006337981.tif 000003
【図１ｂ】
2006337981.tif 000004
【図１ｃ】
2006337981.tif 000005
【図２】
2006337981.tif 000006
【図３】
2006337981.tif 000007
【図４ａ】
2006337981.tif 000008
【図４ｂ】
2006337981.tif 000009
【図４ｃ】
2006337981.tif 000010
【図５】
2006337981.tif 000011
【図６】
2006337981.tif 000012
【図７】
2006337981.tif 000013
【図８】
2006337981.tif 000014
【図９】
2006337981.tif 000015